(57)【要約】【課題】携帯電話の電話帳に登録されている電話番号が誰のものなのかをユーザに思い出させる情報を示すことができる携帯端末を提供する。【解決手段】ＣＰＵ１０は、ユーザの操作により電話帳機能を起動させて電話帳データを表示する。電話帳データの名前が正確に入力されておらず、その電話番号が誰のものなのかユーザが思い出せない場合、ＣＰＵ１０は、ユーザの操作によりその電話番号に対応する登録日時を登録日時データベース１９３から取得し、表示部１３に表示させる。それでもユーザが思い出せない場合、ＣＰＵ１０は、ユーザの操作により電話番号を登録した日のスケジュールまたは登録日時前後の送受信メールを、それぞれスケジュール情報データベース１９４またはメールデータベース１９２から取得し、表示部１３に表示させる。【選択図】      図１
2004343198.tif 000002
【特許請求の範囲】
【請求項１】
個人データと、ユーザのスケジュールデータとを記憶する記憶手段を有する携帯端末において、
前記記憶手段に個人データを登録する際の登録日時を記憶する登録日時記憶手段と、
ユーザが所望する個人データの登録日時を前記登録日時記憶手段から読み出し、読み出した登録日時に基づいて、前記記憶手段に記憶されているスケジュールデータを取得する第１の取得手段と、
前記ユーザが所望する個人データと、前記登録日時記憶手段から読み出された登録日時と、前記第１の取得手段で取得したスケジュールデータとを表示する表示手段と
を有する携帯端末。
【請求項２】
個人データと、送受信メールとを記憶する記憶手段を有する携帯端末において、
前記記憶手段に個人データを登録する際の登録日時を記憶する登録日時記憶手段と、
ユーザが所望する個人データの登録日時を前記登録日時記憶手段から読み出し、読み出した登録日時近辺に基づいて、前記記憶手段に記憶された送受信メールを取得する第２の取得手段と、
前記ユーザが所望する個人データと、前記登録日時記憶手段から読み出された登録日時と、前記第２の取得手段で取得した送受信メールとを表示する表示手段と
を有する携帯端末。
【請求項３】
前記個人データは電話番号である
ことを特徴とする請求項１または２に記載の携帯端末。
【発明の詳細な説明】
【０００１】
【発明の属する技術分野】
本発明は、電話帳機能を有する携帯端末に関する。
【０００２】
【従来の技術】
一般的な携帯電話は、複数の電話番号を登録し保存する電話帳の機能を有している。この電話帳の機能は、登録された電話番号の他に、その番号に対応する名前や、電子メールアドレス等の情報を登録可能であり、それらの情報を一括して管理できるため、利便性は高い。
しかし、ユーザには、それらの情報を入力する手間が存在する。電話番号を新しく入手したユーザは、その電話番号を電話帳に登録するが、その電話番号に対応する名前やその他の情報の入力を後回しにする、あるいは、一時的に簡単な名前のみを入力するケースが多い。例として、名前の領域に一時的に簡単に入力可能な“あ”という文字を入れ、電話番号を登録しておいた状態を図３に示す。この後、ユーザがその電話番号に正しい名前を付けて修正することを怠れば、その電話番号が誰のものなのかをユーザが忘れてしまう危険性が存在する。
そこで、従来の技術では、電話番号やメールアドレスを電話帳に登録すると、その登録日時が自動的に保存されるものがある（例えば、特許文献１参照）。
【０００３】
【特許文献１】
特開２００１−１３６２６６号公報
【０００４】
【発明が解決しようとする課題】
しかしながら、特許文献１の技術は、電話帳データの他に電話帳への登録日時しか表示せず、登録した電話番号が誰のものか判らない場合に、ユーザに思い出させる要素としては不十分である。
この発明はこのような点を鑑みてなされたもので、携帯電話の電話帳に登録されている電話番号が誰のものなのかをユーザが忘れてしまった場合、ユーザに思い出させる情報を示すことができる携帯端末を提供することを目的としている。
【０００５】
【課題を解決するための手段】
上記した目的を達成するために、請求項１記載の携帯端末は、個人データと、ユーザのスケジュールデータとを記憶する記憶手段を有する携帯端末において、前記記憶手段に個人データを登録する際の登録日時を記憶する登録日時記憶手段と、ユーザが所望する個人データの登録日時を前記登録日時記憶手段から読み出し、読み出した登録日時に基づいて、前記記憶手段に記憶されているスケジュールデータを取得する第１の取得手段と、前記ユーザが所望する個人データと、前記登録日時記憶手段から読み出された登録日時と、前記第１の取得手段で取得したスケジュールデータとを表示する表示手段とを有する。
【０００６】
請求項２記載の携帯端末は、個人データと、送受信メールとを記憶する記憶手段を有する携帯端末において、前記記憶手段に個人データを登録する際の登録日時を記憶する登録日時記憶手段と、ユーザが所望する個人データの登録日時を前記登録日時記憶手段から読み出し、読み出した登録日時近辺に基づいて、前記記憶手段に記憶された送受信メールを取得する第２の取得手段と、前記ユーザが所望する個人データと、前記登録日時記憶手段から読み出された登録日時と、前記第２の取得手段で取得した送受信メールとを表示する表示手段とを有する。
【０００７】
請求項３記載の発明は、請求項１または２記載の携帯端末において、前記個人データは電話番号であることを特徴とする。
【０００８】
【発明の実施の形態】
以下、図面を参照して本発明の実施の形態を説明する。
図１は、本発明の一実施形態に係る携帯電話機１（携帯端末）の概略構成を示すブロック図である。１０はＣＰＵ（第１の取得手段、第２の取得手段）であり、携帯電話機１の各部を制御する。１１は無線送受信部であり、外部との無線通信を行う。１２は操作キー等の操作部、１３は表示部（表示手段）である。１４は音声処理部であり、スピーカ１５に音声を出力し、マイク１６から入力された音声を処理する。１７はＣＰＵ１０の動作プログラムを記憶するＲＯＭ（リードオンリメモリ）、１８はデータ一時記憶用のＲＡＭ（ランダムアクセスメモリ）である。１９は記憶部であり、名前や電話番号、メールアドレスを記憶する電話帳データベース１９１（記憶手段）、送受信メールを記憶するメールデータベース１９２（記憶手段）、電話帳を登録した日時を記憶する登録日時データベース１９３（登録日時記憶手段）、あらかじめユーザが入力したスケジュールを記憶するスケジュール情報データベース１９４（記憶手段）を含んでいる。電話帳データベース１９１とスケジュール情報データベース１９４内のデータは、ＲＯＭ１７に記憶されているＰＩＭ（Ｐｅｒｓｏｎａｌ  Ｉｎｆｏｒｍａｔｉｏｎ  Ｍａｎａｇｅｒ）によって管理されている。
【０００９】
次に、上記構成の携帯電話機１の動作について図２を参照して説明する。まず、ユーザは操作部１２のボタンを押下して電話帳登録を行う。ＣＰＵ１０は、そのときの登録日時を登録日時データベース１９３に格納する。
次に、ユーザが登録した電話帳データを閲覧したいとき、ユーザは操作部１２のボタンを押下して電話帳機能を起動させる。ＣＰＵ１０は記憶部１９内の電話帳データベース１９１から、名前、電話番号、メールアドレスといった電話帳データを取得し、表示部１３に表示させる（ステップＳ１）。ユーザは操作部１２のスクロールキーなどを用いて、表示を見ながら希望の電話帳データを検索する。
このとき、ユーザが名前欄に「あ」だけ入力して電話番号を登録していた場合の電話帳データの表示例を図３に示す。ユーザが正しい名前に修正する場合（ステップＳ３で「Ｙｅｓ」）、その電話番号が誰のものであるかユーザが覚えていれば、ユーザは操作部１２を用いて修正を行う（ステップＳ５）。
【００１０】
この電話番号が誰のものか判らず、名前を修正できない場合（ステップＳ３で「Ｎｏ」）、ユーザはその電話番号の登録日時を参照するため、操作部１２のボタンを押下する。ＣＰＵ１０は、表示部１３に機能メニューを表示させる（図４参照）。ユーザは操作部１２を用いて「登録日時参照」を選択する（ステップＳ７で「Ｙｅｓ」）。ＣＰＵ１０は記憶部１９内の登録日時データベース１９３から、この電話番号に対応する登録日時を取得し、表示部１３に表示させる（ステップＳ９）。図５にその表示例を示す。
【００１１】
このときＣＰＵ１０は、図５のように、表示部１３に登録日時を表示させると共に、「スケジュールの確認」または「メールの確認」のどちらかを選択できるよう表示させている。ユーザがこの登録日時を見ても、まだ誰の電話番号なのか判らず、登録した日のスケジュールを参照して思い出そうとする場合、図５の表示画面より、操作部１２を用いて「スケジュールの確認」を選択する（ステップＳ１１で「Ｙｅｓ」）。ＣＰＵ１０は記憶部１９内のスケジュール情報データベース１９４から、電話番号を登録した日のスケジュールを取得し、表示部１３に表示させる（ステップＳ１３）。図６はその表示例である。
【００１２】
一方、ユーザがその日の送受信メールを参照して、この電話番号が誰のかを思い出そうとする場合、図５の表示画面より、操作部１２を用いて「メールの確認」を選択する（ステップＳ１５で「Ｙｅｓ」）。ＣＰＵ１０は記憶部１内のメールデータベース１９２から、登録日時とその前後２４時間の送受信メールを取得し、その一覧を表示部に表示させる（ステップＳ１７）。図７はその表示例である。
表示された送受信メール一覧のうち、ユーザがあるメールの内容を見たい場合（ステップＳ１９で「Ｙｅｓ」）、ユーザは操作部１２を用いてそのメールを選択する。ＣＰＵ１０はそのメールの内容を表示部１３に表示させる（ステップＳ２１）。図８はそのときの表示例である。
登録日時におけるスケジュールとメールの両方とも表示しない場合（ステップＳ１１で「Ｎｏ」かつステップＳ１５で「Ｎｏ」）、後述するステップＳ２５の処理に移る。
【００１３】
スケジュール表示あるいはメール一覧、メール内容表示を行った後、ユーザが操作部１２のボタンを押下して登録日時の表示画面に戻る場合（ステップＳ２３で「Ｙｅｓ」）、ステップＳ９の処理に戻る。電話帳データの表示まで戻る場合（ステップＳ２５で「Ｙｅｓ」）、ステップＳ１の処理に戻る。
【００１４】
以上説明したように、本実施形態によれば、電話帳データを表示した際に、電話番号を登録した日時だけでなく、登録した日のスケジュールと、登録日時前後の送受信メールとを表示することができるので、電話帳に登録されている電話番号が誰のものか判らない場合に、ユーザに思い出させるきっかけを与えることができる。
【００１５】
以上、本発明の実施形態について図面を参照して詳述してきたが、具体的な構成はこの実施形態に限られるものではなく、本発明の要旨を逸脱しない範囲の設計変更等も含まれる。
【００１６】
例えば、上記実施形態では、電話番号を登録した日時を基にしてスケジュールや送受信メールを表示し、電話番号に付属した名前などのデータをユーザに修正させる構成としたが、メールアドレスやその他の情報を登録した日時を基にして、付属するデータをユーザに修正させる構成としてもよい。
また、電話番号のみを登録し名前を登録していない場合に、電話帳データの名前欄に、電話番号を登録した日時を表示してもよい。その表示例を図９に示す。また、上記実施形態における携帯電話機の代わりに、無線通信機能を備えた携帯型パーソナル・コンピュータ又はＰＤＡ（Ｐｅｒｓｏｎａｌ  Ｄｉｇｉｔａｌ  Ａｓｓｉｓｔａｎｃｅ）に本発明を適用してもよい。
【００１７】
【発明の効果】
以上の説明で明らかなように、本発明によれば、個人データを登録する際の登録日時を記憶し、該登録日時に基づいて、スケジュールデータあるいは送受信メールを表示するので、個人データを登録したときの状況をユーザに示すことができる。よって、登録された個人データが誰のものかユーザが判らなくなった場合に、該情報で思い出すきっかけを与えることができる。
【図面の簡単な説明】
【図１】本発明の一実施形態に係る携帯電話機１の概略構成を示すブロック図である。
【図２】同実施形態における動作を示すフローチャートである。
【図３】同実施形態における、名前を簡単に入力した場合の電話帳データの表示例である。
【図４】同実施形態における、機能メニューの表示例である。
【図５】同実施形態における、登録日時の表示例である。
【図６】同実施形態における、電話番号登録日におけるスケジュール情報際の表示例である。
【図７】同実施形態における、電話番号登録日時前後の送受信メール一覧の表示例である。
【図８】同実施形態における、電話番号登録日時前後の送受信メール内容の表示例である。
【図９】同実施形態における、名前欄に登録日時が表示された場合の表示例である。
【符号の説明】
１…携帯電話機、１０…ＣＰＵ、１１…無線送受信部、１２…操作部、１３…表示部、１４…音声処理部、１５…スピーカ、１６…マイク、１７…ＲＯＭ、１８…ＲＡＭ、１９…記憶部、１９１…電話帳データベース、１９２…メールデータベース、１９３…登録日時データベース、１９４…スケジュール情報データベース
【図１】
2004343198.tif 000003
【図２】
2004343198.tif 000004
【図３】
2004343198.tif 000005
【図４】
2004343198.tif 000006
【図５】
2004343198.tif 000007
【図６】
2004343198.tif 000008
【図７】
2004343198.tif 000009
【図８】
2004343198.tif 000010
【図９】
2004343198.tif 000011